(57)【特許請求の範囲】
【請求項１】
底板の幅方向両側にそれぞれ側壁を設けた金属製の基板部材と、該基板部材の側壁の間に嵌合されて、前記底板の上面を覆う合成樹脂製の装飾部材と、該装飾部材の長さ方向中間部に、その上面及び前記基板部材の両側面を覆うよう嵌合された金属製の保護部材とを備え、前記基板部材、装飾部材及び保護部材が、長さ方向両端寄り及び長さ方向中間部にそれぞれ幅方向に沿って挿通された連結部材により連結固定されたことを特徴とする複合駒。
【請求項２】
前記基板部材の側壁の一端部が角形に形成されたことを特徴とする請求項１に記載の複合駒。
【請求項３】
前記装飾部材の上面に模様が形成されていることを特徴とする請求項１又は２に記載の複合駒。
【請求項４】
前記連結部材は、ピン、バネ棒、ネジ、割パイプ、割パイプ付きピンの中の少なくとも１つであることを特徴とする請求項１乃至３のいずれかに記載の複合駒。
【請求項５】
請求項１乃至４のいずれかに記載の複合駒と、本体部の幅方向両端部に長さ方向両側に張り出す連結部を設けた略Ｈ字形の連結駒とから成り、前記複合駒の長さ方向他端寄りに挿通された連結部材を前記連結駒の連結部に挿通して、前記複合駒と連結駒とを連結したことを特徴とする複合駒を用いたバンド。
【請求項６】
前記複合駒の長さ方向一端寄りに挿通された連結部材を、携帯機器の先カン足に形成された固定孔に固定したことを特徴とする請求項５に記載の複合駒を用いたバンド。
【請求項７】
前記基板部材の側壁の一端部を、前記携帯機器の側面或いは先カン足の内面に形成された回り止め部に係合して、前記先カン足に取り付けられた複合駒が、その長さ方向一端寄りの連結部材を中心として回動するのを規制した請求項６に記載の複合駒を用いたバンド。
【請求項８】
前記携帯機器は、時計、腕電話、コンパス、水深計、腕カメラ、腕ナビゲーター、腕音楽再生装置の中の１つであることを特徴とする請求項５乃至７のいずれかに記載の複合駒を用いたバンド。
【発明の詳細な説明】
【０００１】
【発明の属する技術分野】
本発明は、携帯機器を腕等に装着するための、金属及び合成樹脂を素材とする複合駒とそれを用いたバンドに関する。
【０００２】
【従来の技術】
従来、弾性材から成るバンドの側壁に、長さ方向と直角の貫通穴を設け、バンドに断面がコ字状の金属片を載せ、バンドの貫通孔及び金属片の両側の抜け穴に挿入した取付部材で、バンドと金属片を取り付けた時計バンドが、実開昭６１−１１８４１１号公報に開示されている。
この時計バンドは、金属及び弾性材の異なる２素材を用いているため、金属、皮革、合成樹脂等の単一素材より成る時計バンドとは異なる趣がある。
【０００３】
しかし、このものは、弾性材より成るバンドに幅方向に沿って貫通穴が形成されているので、バンドが切れやすく、しかも貫通穴の部分でバンドが切れると、支持機能を失って時計が落下する虞があった。
また、耐久性の問題から、金属片をあまり多数装着することができず、弾性材が露出している部分では、その表面が傷つきやすいという欠点があった。
さらに、金属片の形状や模様を変える程度のデザイン変更しかできないので、バンドのバリエーションが数少なかった。
【０００４】
【発明が解決しようとする課題】
この発明は、合成樹脂製の装飾部材の表面が傷つくのを防ぎ、耐久性に富み、デザイン的にもバリエーションの多様化が可能な複合駒とそれを用いたバンドを提供することを課題とする。
【０００５】
【課題を解決するための手段】
本発明の複合駒は、底板の幅方向両側にそれぞれ側壁を設けた金属製の基板部材と、該基板部材の側壁の間に嵌合されて、底板の上面を覆う合成樹脂製の装飾部材と、該装飾部材の長さ方向中間部に、その上面及び前記基板部材の両側面を覆うよう嵌合された金属製の保護部材とを備える。基板部材、装飾部材及び保護部材が、長さ方向両端寄り及び長さ方向中間部にそれぞれ幅方向に沿って挿通された連結部材により連結固定される。
【０００６】
保護部材が各装飾部材の長さ方向中間部の表面を覆って、装飾部材が傷つくのを防ぐ。
支持機能のない装飾部材を合成樹脂製とし、基板部材を金属製としたので、連結部材を挿通したことにより装飾部材が破断しても、構造上の影響は少ない。また、基板部材と装飾部材とは３個所で連結固定されているため、一個所の連結部材挿通部で装飾部材が切れても装飾部材が脱落しない。
基板部材の側壁の一端部を角形に形成しても良い。
装飾部材の上面に模様を形成して、装飾性を高めることもできる。
連結部材の実施態様としては、ピン、バネ棒、ネジ、割パイプ、割パイプ付きピンがある。
【０００７】
複合駒を用いたバンドは、上記複合駒と、本体部の幅方向両端部に長さ方向両側に張り出す連結部を設けた略Ｈ字形の連結駒とから成り、複合駒の長さ方向他端寄りに挿通された連結部材を連結駒の連結部に挿通して、前記複合駒と連結駒とを連結してある。
複合駒の金属製の基板部材と連結駒とが連結されているため、装飾部材が破損してもバンド自体が切れるのを防止できる。
連結駒を介して、複合駒を他の複合駒や別種類の駒と連結できるので、この組合せを変えることによって他種類のバリエーションが得られる。
【０００８】
複合駒の長さ方向一端寄りに挿通された連結部材を、携帯機器の先カン足に形成された固定孔に固定することができる。この時、基板部材の側壁の一端部を、携帯機器の側面或いは先カン足の内面に形成された回り止め部に係合して、先カン足に取り付けられた複合駒が、その長さ方向一端寄りの連結部材を中心として回動するのを規制すると、バンドの携帯機器に対する取付部分が回転しないので、腕等に巻き付けやすい。
携帯機器の実施態様としては、時計、腕電話、コンパス、水深計、腕カメラ、腕ナビゲーター、腕音楽再生装置がある。
【０００９】
【発明の実施の形態】
以下、本発明の実施形態を、時計バンドとその構成要素である複合駒１について、図面に基づいて詳細に説明する。なお、時計バンド及び複合駒１は、長さ方向に沿う中心軸に対して左右対称なので、平面図及び正面図に関しては、中心軸の片側のみを示す。
図１及び図２に示すように、本発明の複合駒１は、金属製の基板部材２と、基板部材２の上面を覆う合成樹脂製の装飾部材３と、装飾部材３の長さ方向中間に装着された金属製の保護部材４と、基板部材２、装飾部材３及び保護部材４を連結固定する連結部材１０とを備える。
【００１０】
基板部材２は、図３及び図４に示すように、底板５と、底板５の上面の幅方向両側にそれぞれ立設される側壁６とから成る。側壁６の長さ方向両端部は底板５よりも突出しており、側壁６の長さ方向一端部には、他の部分よりも上下寸法が大きい略菱形の係止部７が形成されている。
また、左右の側壁６の長さ方向両端寄り及び長さ方向中間部には、それぞれ対向する位置に取付孔８が穿設されている。
【００１１】
装飾部材３は、基板部材２の側壁６間の距離よりも僅かに狭い幅寸法と、側壁６の高さよりも大きい高さ寸法を有し、適当な色に着色されている。また、図５及び図６に示すように、装飾部材３の上面の長さ方向一端縁には、一端方向に凸に湾曲する装飾用の段部９が形成され、装飾部材３の側面には、基板部材２の側壁６と合致する形状の凹部１１が形成されている。
さらに、装飾部材３の下面には、基板部材２の底板５を係合するための切欠１２が形成され（図５）、装飾部材３の上面の長さ方向中間部には、長さ方向一端側に凹に湾曲する溝１３が両側端に亘って形成されている。
また、装飾部材３の長さ方向両端寄り及び長さ方向中間部には、貫通孔１４がそれぞれ幅方向に沿って穿設されている。
なお、必要に応じて、装飾部材３の表面には、彩色或いは成形によって適宜模様を設けることもできる。
【００１２】
保護部材４は、装飾部材３の溝１３に嵌合できるように、長さ方向一端側が凹に湾曲した平面形状を有し（図８）、その幅寸法は装飾部材３及び基板部材２の幅よりも広く形成され、高さ寸法は溝１３よりも高くなっている。
また、装飾部材４の幅方向両端部において、装飾部材３からはみ出した部分の下方には脚部１５が設けられて、全体の正面から見た形状が門形に形成されている（図９）。そして、左右の脚部１５の対向する位置には、幅方向に沿って透孔１６が穿設されている（図７及び図８）。
【００１３】
複合駒１を組み立てるには、図１及び図２に示すように、基板部材２の底板５の上面を覆うように、側壁６の間に装飾部材３を嵌合し、基板部材２の側壁６及び底板５を装飾部材３の凹部１１及び切欠１２に係合する。すると、基板部材２と装飾部材とが位置合わせされて、基板部材２の取付孔８と装飾部材３の貫通孔１４とが全て一致する。
次いで、装飾部材３の溝１３に保護部材４を嵌合し、保護部材４によって装飾部材３の上面及び基板部材２の両側面を覆う。この状態では、保護部材４は装飾部材３の表面から大きく突出して、装飾部材３の表面が傷つかないよう保護し、保護部材４の透孔１６が位置決めされて、基板部材２の取付孔８及び装飾部材３の貫通孔１４に一致する。
【００１４】
次に、基板部材２の長さ方向中間部の取付孔８、装飾部材３の長さ方向中間部の貫通孔１４及び保護部材４の透孔１６に連結部材１０を挿通して、基板部材２と装飾部材３と保護部材４とを連結固定する。
また、基板部材２の長さ方向両端部の取付孔８、装飾部材３の長さ方向両端寄りの貫通孔１４にそれぞれ連結部材１０を挿通して、基板部材２と装飾部材３とを連結固定するのであるが、この複合駒１によってバンドを構成する際には、長さ方向両端寄りに挿通される連結部材１０を他部材との接合にも利用するので、これらの連結部材１０はバンド組立時に挿通すればよい。
なお、連結部材１０としては、ピン、バネ棒、ネジ、割パイプ、割パイプ付きピンのいずれかを用いる。
【００１５】
複合駒１を用いたバンドは、図１０に示すように、複合駒１と、連結駒１７とから成る。
連結駒１７は、金属を素材とし、基板部材２とほぼ同じ幅を有する本体部１８の幅方向両端部に、長さ方向両側に張り出す連結部１９を設けて略Ｈ字形に形成される。
連結駒１７は保護部材４とほぼ同幅であって、連結部１９の張り出し長さは、保護部材４の端面と基板部材２の端部との距離よりもやや短く形成され、連結部１９の長さ方向両端寄りには、それぞれ幅方向に沿って挿通孔２０が穿設されている。
【００１６】
そして、複合駒１と連結駒１７とを長さ方向に隣接させて並べ、複合駒１の長さ方向両端寄りに挿通された連結部材１０を、連結駒１７の挿通孔２０に通して複合駒１と連結駒１７とを接合する。
なお、バンド中間部における複合駒１の基板部材２の側壁６は、その長手方向一端部を角形に形成することなく、複合駒１と連結駒１７とを交互に並べて互いに結合しても良いし、複合駒１と他の種類の駒（例えば、金属製の駒）とを連結駒１７を介して連結しても良い。従って、バンドを構成する駒の組合せを変えることによって、非常に多様なバリエーションが得られる。
【００１７】
バンドを携帯機器２１に取り付けるには、図１に示すように、携帯機器２１の側面に間隔を開けて突出する１対の先カン足２２の間に、バンドの端部に装着された複合駒１の長さ方向一端部を差し込む。
先カン足２２の対向する位置には、それぞれ固定孔２３が穿設され、先カン足２２の内面には、基板部材２の係止部７と合致する形状に陥没した回り止め部２４が形成されている。
そして、基板部材２の側壁６を先カン足２２の内面に当接して、側壁６の先端に形成された係止部７を回り止め部２４に係合し、複合駒１の長さ方向一端寄りに挿通された連結部材１０の両端を、先カン足２２の固定孔２３に挿入固定して、バンドを携帯機器２１に取り付ける。
【００１８】
このように菱形の係止部７と回り止め部２４とを係合すると、バンドの取付部分が携帯機器２１に対して連結部材１０を中心として回転しないので、携帯機器２１を装着する際に、バンドがぶらぶらしないので腕等に巻き付けやすい。
なお、携帯機器２１としては、時計、腕電話、コンパス、水深計、腕カメラ、腕ナビゲーター、腕音楽再生装置がある。
また、回り止め部２４を先カン足２２ではなく、係止部７が当接する携帯機器２１の側面に形成することもできる。
さらに、係止部７の形状を菱形以外の角形とし、回り止め部２４もこれに見合った形状としても良い。
【００１９】
【発明の効果】
本発明の複合駒は、保護部材が各装飾部材の長さ方向中間部の上面及び両側面を被覆するので、装飾部材の表面が傷つくのを防止することができる。
また、装飾部材が破断しても基板部材は破損しにくいため、構造上の影響は少なく、基板部材と装飾部材とは３個所で連結固定されているので、一個所の連結部材挿通個所で装飾部材が切れても装飾部材が脱落することはない。
さらに、装飾部材の上面に模様を形成すると、装飾性をいっそう高めることができる。
【００２０】
本発明のバンドは、装飾部材の表面が傷つきにくく、しかも、金属製の基板部材と連結駒とが連結されているので、装飾部材が破損してもバンド自体が切れるのを防止でき、この結果、耐久性が大きく向上する。
また、連結駒を介して、複合駒を他の複合駒や別種類の駒と連結できるため、この組合せを変えることによって多様なバリエーションが得られる。
さらに、基板部材の側壁の一端部を、携帯機器の側面或いは先カン足の内面に形成された回り止め部に係合して、バンドの携帯機器に対する回転を規制すると、携帯機器を装着する際にバンドを腕等に巻き付けやすい。
【図面の簡単な説明】
【図１】本発明の実施形態に係る複合駒の側面図
【図２】同上の平面図
【図３】基板部材の側面図
【図４】同上の平面図
【図５】装飾部材の側面図
【図６】同上の平面図
【図７】保護部材の側面図
【図８】同上の平面図
【図９】同上の正面図
【図１０】複合駒及び連結駒の平面図
【符号の説明】
１  複合駒
２  基板部材
３  装飾部材
４  保護部材
５  底板
６  側壁
７  係止部
８  取付孔
９  段部
１０  連結部材
１１  凹部
１２  切欠
１３  溝
１４  貫通孔
１５  脚部
１６  透孔
１７  連結駒
１８  本体部
１９  連結部
２０  挿通孔
２１  携帯機器
２２  先カン足
２３  固定孔
２４  回り止め部
【図１】
0004503797.tif 000002
【図２】
0004503797.tif 000003
【図３】
0004503797.tif 000004
【図４】
0004503797.tif 000005
【図５】
0004503797.tif 000006
【図６】
0004503797.tif 000007
【図７】
0004503797.tif 000008
【図８】
0004503797.tif 000009
【図９】
0004503797.tif 000010
【図１０】
0004503797.tif 000011